(57)【特許請求の範囲】
【請求項１】
遊技機の遊技盤に取り付けられる化粧枠と、前記化粧枠に組み付けられて遊技球が入賞可能な第一入賞口と、遊技機の遊技盤に取り付けられて前記第一入賞口を開閉する第一開閉部材と、前記第一入賞口に入賞した入賞球が通過可能な第一通過領域とを備える役物装置であって、
前記入賞球が前記第一通過領域を通過しない場合に、その入賞球が通過可能な第二通過領域と、
前記入賞球を前記第一通過領域および前記第二通過領域に向けて案内する案内路と、
前記案内路と前記第一通過領域との間に設けられ、前記第一通過領域を覆って前記入賞球の通過を規制可能な規制部材と、
前記第一通過領域を有し、前記入賞球が落下方向に通過する通過口であって、前記案内路の流路末端が、自身の開口の側方且つ前記落下方向の上方に配置された第一通過口と、
前記第二通過領域を有し、前記入賞球が前記落下方向に通過する通過口であって、自身の開口が、前記第一通過口の開口の側方で、当該第一通過口の開口に対して前記流路末端とは反対側の側方に配置された第二通過口と、
前記流路末端で、前記落下方向において、前記案内路の下方且つ前記第一通過口の開口の上方の位置に形成され、前記第一通過領域への前記入賞球の通過が許容される場合に前記第一通過領域を開放する開放位置に前記規制部材が移動された場合に前記規制部材を収容する収容部と、
をさらに有し、
前記第一通過領域は、前記第二通過領域と前記案内路との間に設けられ、
前記規制部材は軸支されており、前記開放位置と、前記第一通過領域への前記入賞球の通過が許容されない場合に前記第一通過領域を覆う規制位置と、の間における前記規制部材の移動が軸を中心とし、前記落下方向と直交する平面に沿う回動によって行われることを特徴とする役物装置。
【請求項２】
前記案内路は、少なくとも１カ所以上において、前記入賞球の流路が曲折されていることを特徴とする請求項１に記載の役物装置。
【請求項３】
遊技球が入賞可能な第二入賞口と、
前記第二入賞口を開閉する第二開閉部材と、
前記第二入賞口に入賞した入賞球が排出される第一排出口と、
を有する第一役物部材をさらに備え、
前記第一役物部材は、前記化粧枠に取り外し可能に取り付けられることを特徴とする請求項１または２に記載の役物装置。
【請求項４】
前記第一入賞口と前記案内路との間に設けられ、前記入賞球を前記案内路に排出する第二排出口をさらに備え、
前記第一入賞口と、前記第一開閉部材と、前記第二排出口とは、前記化粧枠に取り外し可能な第二役物部材として構成されたことを特徴とする請求項１から３のいずれかに記載の役物装置。
【請求項５】
請求項１から４のいずれかに記載の役物装置を備える遊技機。
【発明の詳細な説明】
【技術分野】
【０００１】
本発明は、遊技球が入賞可能な入賞口を備えた役物装置および遊技機に関する。
【背景技術】
【０００２】
従来、開閉部材の設けられた入賞口に入賞した入賞球のみが通過可能な特定領域を備える役物装置が知られている。役物装置が設けられる遊技機では、特定の条件が成立することを契機として開閉部材が開放される。入賞球が特定領域を通過した場合、遊技者が、賞品球を獲得する上で有利な遊技状態、例えば、大当たりと判定される確率が通常よりも高くなる確率変動状態が、大当たり遊技の終了後に生起される。
【０００３】
このような役物装置（変動入賞装置）には、特定領域（継続入賞口）を通過しなかった入賞球が通過可能な非特定領域（一般入賞口）が設けられている。さらに役物装置には、入賞球を特定領域と非特定領域とに振り分けるため、特定領域もしくは非特定領域への入賞球の通過を規制するための規制部材（開閉部材）も設けられている（例えば特許文献１参照。）。特許文献１では、入賞口に入賞した入賞球が役物装置の内部に設けられた案内路（誘導流路）に案内されて、特定領域および非特定領域に導かれる。そして、１つの入賞球が特定領域を通過したら、それ以降に案内される入賞球が特定領域を通過できないように、規制部材が特定領域を閉鎖する。
【先行技術文献】
【特許文献】
【０００４】
【特許文献１】特開平６−２５４２２３号公報
【発明の概要】
【発明が解決しようとする課題】
【０００５】
しかしながら特許文献１において、規制部材は、遊技機を正面から見て手前側に進出することで特定領域を閉鎖する規制位置に配置され、奥側に退行することで特定領域を開放する開放位置に配置される。また、規制部材の進退方向において規制部材よりもさらに奥側にソレノイドが配置されており、進退方向に沿ってプランジャが駆動されることによって規制部材の進退がなされる。このため、遊技機内に、ソレノイドと規制部材とを進退方向に並べて配置し、さらに規制部材を進退させるための奥行きを確保する必要があった。
【０００６】
本発明は、上記課題を解決するためになされたものであり、奥行きの小型化を図り、取り付け位置の省スペース化を実現することができる役物装置および遊技機を提供することを目的とする。
【課題を解決するための手段】
【０００７】
本発明の第１態様によれば、遊技機の遊技盤に取り付けられる化粧枠と、前記化粧枠に組み付けられて遊技球が入賞可能な第一入賞口と、遊技機の遊技盤に取り付けられて前記第一入賞口を開閉する第一開閉部材と、前記第一入賞口に入賞した入賞球が通過可能な第一通過領域とを備える役物装置であって、前記入賞球が前記第一通過領域を通過しない場合に、その入賞球が通過可能な第二通過領域と、前記入賞球を前記第一通過領域および前記第二通過領域に向けて案内する案内路と、前記案内路と前記第一通過領域との間に設けられ、前記第一通過領域を覆って前記入賞球の通過を規制可能な規制部材と、前記第一通過領域を有し、前記入賞球が落下方向に通過する通過口であって、前記案内路の流路末端が、自身の開口の側方且つ前記落下方向の上方に配置された第一通過口と、前記第二通過領域を有し、前記入賞球が前記落下方向に通過する通過口であって、自身の開口が、前記第一通過口の開口の側方で、当該第一通過口の開口に対して前記流路末端とは反対側の側方に配置された第二通過口と、前記流路末端で、前記落下方向において、前記案内路の下方且つ前記第一通過口の開口の上方の位置に形成され、前記第一通過領域への前記入賞球の通過が許容される場合に前記第一通過領域を開放する開放位置に前記規制部材が移動された場合に前記規制部材を収容する収容部と、をさらに有し、前記第一通過領域は、前記第二通過領域と前記案内路との間に設けられ、前記規制部材は軸支されており、前記開放位置と、前記第一通過領域への前記入賞球の通過が許容されない場合に前記第一通過領域を覆う規制位置と、の間における前記規制部材の移動が軸を中心とし、前記落下方向と直交する平面に沿う回動によって行われることを特徴とする役物装置が提供される。
【０００８】
第１態様において、規制位置と開放位置との間での規制部材の移動が、直線的な移動ではなく、軸を中心とする回動によって行われるので、直線的に出退させる場合と比べて出退方向への移動量が少なくて済む。つまり、規制部材の移動のためのスペースを、より小さくできる。さらに、規制部材を開放位置に移動させた場合の規制部材の収容のためのスペースも小さくすることができるので、役物装置の小型化を図ることができる。また、規制部材の移動が第一通過領域を覆う位置と、第二通過領域を覆う位置との間で行われるようにして、第一通過領域にとっての規制位置が第二通過領域にとっての開放位置となり、その逆もまた同様となるように規制部材を移動させれば、規制部材の収容場所を別途設けなくとも済み、役物装置の小型化を図ることができる。
【０００９】
第一通過領域が第二通過領域と案内路との間、すなわち、第二通過領域よりも流路上流側に設けられることによって、規制部材が開放位置にある場合に、案内路を案内された入賞球が、第一通過領域を通過しやすい。第一通過領域をＶゾーンとした場合、遊技者が、規制部材が開放位置にあることを確認することで、Ｖゾーンへの入賞に対する期待を抱くことができる。一方で、入賞球が、第一通過領域を飛び越して第二通過領域を通過することもできるので、遊技者に、Ｖゾーン入賞への期待と、非入賞に対する不安とが入り交じった感情を惹起させ、遊技の興趣を高めることができる。また、第二通過領域をＶゾーンとした場合には、第一通過領域が開放状態にある場合でも、遊技者は、遊技球が第一通過領域を飛び越して第二通過領域を通過することへの期待を抱くことができる。
案内路を案内され流路末端から放出される入賞球が、第一通過口や第二通過口を通過するために必要なスペースは、並列配置される第一通過口の開口と第二通過口の開口があれば足りるので、役物装置の小型化を図ることができる。また、流路末端から第一通過口や第二通過口へ向けて入賞球が落下する構成としたので、案内路の下方がデッドスペースとなるが、その位置に収容部を設けることで、役物装置に別途、収容部を設けるためのスペースを用意する必要がなく、役物装置の小型化を図ることができる。
【００１０】
第１態様において、前記案内路は、少なくとも１カ所以上において、前記入賞球の流路が曲折されていてもよい。第一通過領域は案内路と第二通過領域との間に設けられているので、第一通過領域が開放されている場合、入賞球に勢いがあると、入賞球が第一通過領域を飛び越して第二通過領域へ向かう虞がある。ゆえに、曲折された案内路を通過すれば入賞球の勢いが弱められるので、より確実に、入賞球に第一通過領域を通過させることができる。また、案内路を通過する入賞球の通過時間を考慮した役物装置の設計を行った場合、曲折された案内路によって入賞球の勢いが弱められ、通過速度が遅くなれば、案内路を短くしても、入賞球の通過時間を確保することができるので、役物装置の小型化を図ることができる。
【００１１】
【００１２】
【００１３】
第１態様は、遊技球が入賞可能な第二入賞口と、前記第二入賞口を開閉する第二開閉部材と、前記第二入賞口に入賞した入賞球が排出される第一排出口と、を有する第一役物部材をさらに備えてもよい。この場合に、前記第一役物部材は、前記化粧枠に取り外し可能に取り付けられてもよい。役物装置に第一役物部材を取り付けることによって２種類の入賞口を有することができ、第一入賞口と第二入賞口を駆使した遊技を行うことができ、遊技性に幅を持たせることができる。また、第一役物部材は取り外し可能でもあるので、単体で、他の遊技機にも取り付けることのできるアタッカーユニットとして機能することができる。ゆえに、遊技機間で第一役物部材を共用することができるので、製造コストの削減を図ることができる。
【００１４】
第１態様は、前記第一入賞口と前記案内路との間に設けられ、前記入賞球を前記案内路に排出する第二排出口をさらに備えてもよい。この場合に、前記第一入賞口と、前記第一開閉部材と、前記第二排出口とは、前記化粧枠に取り外し可能な第二役物部材として構成されてもよい。第二役物部材も、単体で、他の遊技機にも取り付けることのできるアタッカーユニットとして機能することができる。ゆえに、遊技機間で第二役物部材を共用することができるので、製造コストの削減を図ることができる。
【００１５】
本発明の第２態様によれば、請求項１から４のいずれかに記載の役物装置を備える遊技機が提供される。第１態様の役物装置を備えることで、取り付け位置の省スペース化を図ることができる。また、役物装置を小型化できることによって、遊技機内においてその他の装置を取り付けられるスペースが増えるので、遊技機内のレイアウトの自由化を図ることができる。
【００１６】
【００１７】
【００１８】
なお、前記規制部材は、前記軸を中心に回動され、前記第一通過領域を覆って前記入賞球の通過を規制可能な規制部と、前記規制部とは離れた位置で前記軸に沿う方向に突出して設けられ、前記軸を中心に回動される作動突起と、を備えてもよい。また、役物装置は、駆動力を発生する動力源と、前記動力源と前記作動突起とを連結するとともに、前記規制部材に対し前記軸の延びる方向に重ねて配置され、前記動力源の発生する一方向への駆動力を、前記規制部材を回転方向に駆動させる駆動力に変換する伝達部材と、をさらに備えてもよい。動力源の駆動力を伝達する際の伝達部材の動作が規制部材の回転の動作に干渉せずに、伝達部材を規制部材と重ねて配置できれば、伝達部材と規制部材との配置のためのスペースを小さくでき、役物装置の小型化を図ることができる。
【図面の簡単な説明】
【００１９】
【図１】パチンコ機１の正面図である。
【図２】役物装置１０の斜視図である。
【図３】役物装置１０の分解斜視図である。
【図４】開閉部材１６３を開放した状態において、図３の矢印Ａに沿って見た、通常アタッカー１６の右側面図である。
【図５】開閉部材１６３を開放した状態において、図３の矢印Ｂに沿って見た、通常アタッカー１６の正面図である。
【図６】図３の二点鎖線Ｃで切断し、矢視方向に、役物装置１０を組み立てた状態で見た、役物装置１０の断面図である。
【図７】規制部材２０の規制部２０１が開放位置にあるときに、図３の二点鎖線Ｄで切断して矢視方向に見た、振分部材１９の断面図である。
【図８】図３の矢印Ｅに沿って見た、振分部材１９の正面図である。
【図９】規制部材２０の規制部２０１が規制位置にあるときに、図３の二点鎖線Ｄで切断して矢視方向に見た、振分部材１９の断面図である。
【図１０】パチンコ機１の電気的構成を示すブロック図である。
【図１１】Ｖアタッカー１７の開閉部材１８３の開閉パターンと規制部材２０の回動パターンとを示すタイミングチャートである。
【発明を実施するための形態】
【００２０】
以下、本発明に係る役物装置を備える遊技機の一実施の形態であるパチンコ機１について、図面を参照して説明する。まず、パチンコ機１の機械的な構成について、図１，図２を参照して説明する。なお、以下の説明において、パチンコ機１の上下方向、左右方向、および前後方向については、特に断りがない場合、ホールに設置されたパチンコ機１で遊技を行う遊技者からパチンコ機１を見た向き（すなわち図１に図示されるパチンコ機１の向き）を基準とする。前後方向は、パチンコ機１の正面側（紙面表面側）を前側とし、背面側（紙面裏面側）を後側とする。また、パチンコ機１に使用される部品についても、パチンコ機１に組み付けられた場合の向きを基準に、上下方向、左右方向、および前後方向を規定するものとする。
【００２１】
図１に示すように、パチンコ機１の上段側には遊技盤２が設けられている。遊技盤２は略正方形であり、透明なガラス板を保持したガラス枠１３によって前面を保護されている。遊技盤２の下段側には上皿５および下皿６が設けられている。上皿５は遊技盤２の下部に設けられ、発射機（図示外）に遊技球を供給し、且つ賞品球を受ける。下皿６は上皿５の直下に設けられ、上皿５から溢れたり排出されたりする賞品球を受ける。下皿６の右横には、遊技球の発射を調整する発射ハンドル７が設けられている。また、ガラス枠１３の上部の左右の角には、スピーカ４８がそれぞれ設けられている。
【００２２】
遊技盤２の前面には、ガイドレール３で囲まれた略円形の遊技領域４が形成されている。遊技領域４の略中央には、ＬＣＤから構成された表示装置２８が設けられている。表示装置２８の表示画面には、動画、メッセージ等の様々な映像が表示され、特に、大当たり判定の結果を報知するためのデモ図柄が表示される。表示装置２８の外縁を取り囲むように、各種演出を行う演出装置３０が設けられている。演出装置３０は、モータ等の動力を用いて装飾体を駆動し、さらにＬＥＤ等の発光体を発光させることで、表示装置２８およびスピーカ４８等と連動しながら様々な演出を行う。
【００２３】
表示装置２８の下方には、第一特別図柄始動入賞口１４が設けられている。また、表示装置２８の右方には普通図柄始動ゲート１２が設けられており、普通図柄始動ゲート１２の下方に、第二特別図柄始動電動役物１５が配設されている。第二特別図柄始動電動役物１５は開閉部材を備える。第二特別図柄始動電動役物１５の開閉部材は前後方向（遊技盤２の表裏方向）に移動可能であり、開閉部材が前方（表側）に移動した状態（開放状態）でのみ、遊技球が第二特別図柄始動電動役物１５に入賞できる。
【００２４】
表示装置２８の下方から右斜め下方の位置には、通常アタッカー１６とＶアタッカー１７とを備える役物装置１０が設けられている。通常アタッカー１６は、第二特別図柄始動電動役物１５の左斜め下方に配置され、Ｖアタッカー１７は、通常アタッカー１６よりもさらに左斜め下方に配置されている。役物装置１０の詳細な構造については後述するが、Ｖアタッカー１７は、化粧枠１１に一体に組み付けられる振分部材１９と、化粧枠１１に取り外し可能に取り付けられる入賞部材１８とから構成される。通常アタッカー１６も、化粧枠１１に取り外し可能に取り付けられている。また、本実施の形態では、上記した第一特別図柄始動入賞口１４も化粧枠１１に形成されているが、役物装置１０とは独立に遊技盤２に設けられてもよく、本発明における「役物装置」の構成には含まれない。
【００２５】
遊技領域４の右斜め下方には、複数のＬＥＤを備える図柄表示装置８が設けられている。図柄表示装置８は、図示しない、普通図柄表示部、第一特別図柄表示部、第二特別図柄表示部、普通図柄記憶数表示ＬＥＤ、第一特別図柄記憶数表示ＬＥＤ、第二特別図柄記憶数表示ＬＥＤ等を備える。
【００２６】
普通図柄表示部にはＬＥＤが用いられている。普通図柄始動ゲート１２を遊技球が通過すると普通当たり判定が行われて、判定結果が普通図柄表示部に表示される。普通図柄表示部は、点灯することで普通当たりを表示し、消灯することではずれを表示し、点滅することで普通図柄の変動中であることを示す。
【００２７】
第一特別図柄表示部および第二特別図柄表示部には、アルファベット、数字、記号、またはこれらの組合せからなる特別図柄が表示される。第一特別図柄始動入賞口１４へ遊技球が入賞すると、第一大当たり判定が行われ、その判定の結果に応じて複数の特別図柄のうちの１つが第一特別図柄表示部に表示される。第二特別図柄始動電動役物１５へ遊技球が入賞すると、第二大当たり判定が行われ、その判定結果は第二特別図柄表示部に表示される。
【００２８】
普通図柄記憶数表示ＬＥＤは、普通図柄作動保留球数を４つまで表示する。普通図柄作動保留球数とは、普通図柄始動ゲート１２を通過し、且つ普通図柄表示部に普通当たり判定の結果がまだ表示されていない遊技球の個数である。第一特別図柄記憶数表示ＬＥＤは、第一特別図柄作動保留球数を４つまで表示する。第一特別図柄作動保留球数とは、第一特別図柄始動入賞口１４に入賞し、且つ第一大当たり判定の結果がまだ表示されていない遊技球の個数である。第二特別図柄記憶数表示ＬＥＤは、第二特別図柄作動保留球数を４つまで表示する。第二特別図柄作動保留球数とは、第二特別図柄始動電動役物１５に入賞し、且つ第二大当たり判定の結果がまだ表示されていない遊技球の個数である。
【００２９】
次に、役物装置１０の構造の詳細について説明する。前述したように、役物装置１０は、遊技球の入賞が可能な通常アタッカー１６とＶアタッカー１７とを化粧枠１１に組み付けた装置であり、パチンコ機１の組立部品の１つとして遊技盤２に取り付けられる。図１に示すように、化粧枠１１は、ガイドレール３に囲まれる略円形の遊技領域４において、略中央に配置される表示装置２８の下側から右斜め下側の位置に配置される。遊技盤２の盤面に露出される化粧枠１１の前面は、図１，図２に示すように、下端から右側端にかけての端部が、ガイドレール３に沿うように円弧状に形成される。また、化粧枠１１の上下の幅は、上端と下端との間に、通常アタッカー１６およびＶアタッカー１７を上下にずらした状態で配置できるように、その大きさが確保されている。さらに化粧枠１１は、上端が、遊技盤２の盤面に設けられる演出装置３０、第二特別図柄始動電動役物１５、図示しない誘導釘等と干渉しないように、左端側から右端側へ向けて細幅となるように構成されている。
【００３０】
図３に示すように、化粧枠１１の背面には、通常アタッカー１６およびＶアタッカー１７を取り付ける取り付け部位が設けられている。Ｖアタッカー１７は、前述したように、振分部材１９と入賞部材１８とから構成される。入賞部材１８は、少なくとも２本以上（例えば４本）のねじを用いて化粧枠１１の背面に組み付けられ、化粧枠１１と一体に設けられる。一方、通常アタッカー１６と振分部材１９とは、それぞれ、例えば２本のねじを用い、振分部材１９と一体になった化粧枠１１の背面に、取り外し可能に組み付けられる。また、詳細についての説明は省略するが、化粧枠１１の背面には、第二特別図柄始動電動役物１５等に入賞した入賞球を遊技盤２の背面側で流通させるための通路も併せて設けられている。
【００３１】
図３〜図５に示すように、通常アタッカー１６は、正面視（図５参照）、左右方向に細幅に延びる略矩形状を有し、側面視（図４参照）、同様に細幅で前後方向に延びる、箱型（図３参照）の組み立て部品である。通常アタッカー１６の正面には、遊技球が通過可能な上下幅で左右方向に延びる略矩形状の入賞口１６１が開口されている。通常アタッカー１６の内部には、入賞口１６１から入賞した入賞球を収容する球収容部１６２が形成されている。球収容部１６２は、遊技球の直径よりやや大きい程度の奥行き（前後方向の長さ）で、入賞口１６１を開口とする凹部状に形成されている。
【００３２】
入賞口１６１の前方側には、入賞口１６１の開口を覆い塞ぐことのできる大きさの細幅の板体で、長手側の辺を左右方向に沿わせて配置した開閉部材１６３が設けられている。開閉部材１６３は、自身の上端側を自由端とし、自身の下端側が入賞口１６１の下端に沿う軸に支持されている。入賞口１６１は、開閉部材１６３の上端側を入賞口１６１の開口の上端に近い位置に配置した状態で閉鎖され、開閉部材１６３の上端側を上方から前方へ向けて倒した状態で開放される。開閉部材１６３は、通常アタッカー１６の左側後部に設けられる通常アタッカー開閉ソレノイド７０の駆動によって開閉される。遊技盤２（図１参照）上を流下する遊技球は、開閉部材１６３の開放時に開閉部材１６３の背面に載ることができ（図４参照）、開閉部材１６３に誘導されて入賞口１６１に入賞し、球収容部１６２内に収容される。
【００３３】
球収容部１６２の後方側の壁面には、自身を通過する入賞球を検出する通常アタッカースイッチ７５が設けられている。球収容部１６２の底壁は、入賞球が通常アタッカースイッチ７５へ向けて流れるように、傾斜が設けられている。また、通常アタッカー１６の底面に、通常アタッカースイッチ７５を通過した入賞球を通常アタッカー１６から排出する排出口１６４が開口されている。
【００３４】
通常アタッカー１６の左右両側の側面には、通常アタッカー１６を化粧枠１１に取り付けるためのねじが挿通されるねじ孔１６５がそれぞれ設けられている。役物装置１０への通常アタッカー１６の組み付けは、以下のように行われる。図３に示すように、化粧枠１１に開口された通常アタッカー取付口１１１に背面側から通常アタッカー１６の開閉部材１６３を通して前面側に露出させる。そして、ねじ孔１６５に挿通させた図示外の２本のねじを化粧枠１１の背面に設けられるボス（図示外）に締め付けることによって、通常アタッカー１６が役物装置１０に組み付けられる。また、役物装置１０から通常アタッカー１６を取り外す場合は、上記２本のねじを緩め、化粧枠１１の背面側へ通常アタッカー１６を引き抜くだけで、容易に取り外すことができる。
【００３５】
このように、通常アタッカー１６は、入賞口１６１、開閉部材１６３、通常アタッカースイッチ７５および排出口１６４が、組み立て部品として一体に構成されたものである。通常アタッカー１６は、パチンコ機１とは異なる他の遊技機の役物装置に、ねじ孔１６５を挿通する図示外の２本のねじを締め付けるボスを設けるだけで、容易に組み付けることができ、また、容易に取り外すことができる。
【００３６】
次に、図３に示すように、Ｖアタッカー１７を構成する入賞部材１８も、通常アタッカー１６と同様に、正面視、左右方向に細幅に延びる略矩形状を有し、側面視、同様に細幅で前後方向に延びる、箱型の組み立て部品である。入賞部材１８は、前後方向の長さは通常アタッカー１６とほぼ同じであるが、左右方向の長さは通常アタッカー１６よりも短く形成されている。
【００３７】
図３，図６に示すように、入賞部材１８の正面には、遊技球が通過可能な上下幅で左右方向に延びる略矩形状の入賞口１８１が開口されている。入賞部材１８の内部にも、入賞口１８１を開口とする凹部状をなし、入賞口１８１から入賞した入賞球を収容する球収容部１８２が形成されている。球収容部１８２の奥行き（前後方向の長さ）も同様に、遊技球の直径よりやや大きい程度の大きさである。
【００３８】
入賞口１８１の前方側には、入賞口１８１の開口を覆い塞ぐ細幅で板状の開閉部材１８３が、長手側の辺を左右方向に沿わせて配置した状態で設けられている。開閉部材１８３も自身の上端側を自由端とし、自身の下端側が入賞口１８１の下端に沿う軸に支持されており、入賞部材１８の右側後部に設けられるＶアタッカー開閉ソレノイド７１の駆動によって、上記同様、開閉される。遊技盤２（図１参照）上を流下する遊技球が、開閉部材１８３の開放時に開閉部材１８３の背面に載り（図６参照）、開閉部材１８３に誘導されて入賞口１８１に入賞し、球収容部１８２内に収容される点も同様である。
【００３９】
また、球収容部１８２の後方側の壁面にも入賞球を検出する入賞部材スイッチ７８が設けられ、球収容部１８２内で入賞球が入賞部材スイッチ７８へ向けて流れるように、球収容部１８２の底壁に傾斜が設けられている。そして、入賞部材１８の底面に、入賞部材スイッチ７８を通過した入賞球を入賞部材１８から排出する排出口１８４が開口されている。
【００４０】
入賞部材１８の左右両側の側面にも、入賞部材１８を化粧枠１１に取り付けるためのねじが挿通されるねじ孔１８５がそれぞれ設けられている。役物装置１０への入賞部材１８の組み付けも、通常アタッカー１６の場合と同様である。化粧枠１１に開口された入賞部材取付口１１２に背面側から入賞部材１８の開閉部材１８３を通して前面側に露出させる。この状態で、ねじ孔１８５に挿通させた２本のねじ（図示外）を化粧枠１１の背面に設けられるボス（図示外）に締め付けることによって、入賞部材１８が役物装置１０に組み付けられる。また、役物装置１０から入賞部材１８を取り外す場合は、上記２本のねじを緩め、化粧枠１１の背面側へ入賞部材１８を引き抜くだけで、容易に取り外すことができる。
【００４１】
このように、入賞部材１８は、通常アタッカー１６と同様に、入賞口１８１、開閉部材１８３、入賞部材スイッチ７８および排出口１８４が、組み立て部品として一体に構成されたものである。パチンコ機１とは異なる他の遊技機の役物装置に、ねじ孔１８５を挿通する２本のねじ（図示外）を締め付けるボスを設けるだけで、入賞部材１８を容易に組み付けることができ、また、容易に取り外すことができる点も、通常アタッカー１６と同様である。
【００４２】
次に、図３に示す、振分部材１９は、入賞部材１８の排出口１８４から排出された入賞球を、特定領域スイッチ７６または非特定領域スイッチ７７のいずれか一方に通過させるため、入賞球の振分を行う部材である。振分部材１９は、通常アタッカー１６や入賞部材１８と同様に組み立て部品として提供されるが、少なくとも２本以上（本実施の形態では４本）のねじを用いて化粧枠１１に一体に組み付けられ、固定される。もちろん、振分部材１９を構成する部品の一部が化粧枠１１であってもよい。
【００４３】
図３、図６〜図９に示すように、振分部材１９は、受球口１９１、第一案内路１９２、第二案内路１９３、規制部材２０、特定領域スイッチ７６、非特定領域スイッチ７７、規制部材回動ソレノイド２２、排出口１９４、収容部１９５等を備える。受球口１９１は、化粧枠１１に入賞部材１８が組み付けられた場合に、入賞部材１８の排出口１８４の直下に位置し（図６参照）、排出口１８４から排出される入賞球を振分部材１９内に受け入れる受入口である。受球口１９１は、振分部材１９を平面視した場合に（図７参照）、振分部材１９の右側後部に設けられている。受球口１９１は、前後方向に延びる第一案内路１９２の後方側の端部に接続されている。第一案内路１９２は、受球口１９１に突入した入賞球を振分部材１９内で後方側から前方側に案内する流路であり、平面視、振分部材１９の右側部に配置されている。第一案内路１９２は、受球口１９１に接続された、自身の後端側の端部から、振分部材１９内の前方側に配置される、自身の前方側の端部（図７参照）へ向けて、下方に傾く傾斜が設けられている（図６参照）。
【００４４】
第一案内路１９２の前方側の端部は、平面視、振分部材１９の前部に配置され、左右方向に延びる第二案内路１９３の右方側の端部に接続されている。第二案内路１９３は、第一案内路１９２を振分部材１９内で後方から前方へ案内された入賞球を、振分部材１９内で右方側から左方側へ向けて案内する流路である。第二案内路１９３の左方側の端部１９８は、左右方向において振分部材１９内の略中央に配置されている。第二案内路１９３も同様に、自身の右方側の端部から左方側の端部１９８へ向けて、下方に傾く傾斜が設けられている（図８参照）。
【００４５】
このように、前後方向に延びる第一案内路１９２と、左右方向に延びる第二案内路１９３とは、振分部材１９の右側前部において接続されている。すなわち、受球口１９１から端部１９８へ向けて入賞球を案内する流路は、曲折されている（図７参照）。このため、第一案内路１９２を前後方向に案内された入賞球が、第二案内路１９３によって、その案内される方向が左右方向に転換される際に、入賞球の転がる勢い（速さ）を抑制することができる。
【００４６】
次に、振分部材１９内の左前部で、第二案内路１９３の左方側の端部１９８よりもさらに左方側の位置には、特定領域１９６と非特定領域１９７とが左右方向に並んで設けられている（図７，図８参照）。特定領域１９６は、非特定領域１９７よりも第二案内路１９３の端部１９８に近い側、すなわち、流路の上流側に設けられている。また、特定領域１９６および非特定領域１９７は、上下方向において第二案内路１９３の端部１９８よりも下方に設けられている。特定領域１９６および非特定領域１９７は、第二案内路１９３を案内されて端部１９８から放出される入賞球が、特定領域１９６または非特定領域１９７の一方を、上下方向（落下方向）に通過するように配置されている。
【００４７】
特定領域１９６には、特定領域１９６を落下方向に通過する入賞球を検出する特定領域スイッチ７６が設けられている。同様に、非特定領域１９７には、非特定領域１９７を落下方向に通過する入賞球を検出する非特定領域スイッチ７７が設けられている。特定領域スイッチ７６および非特定領域スイッチ７７には、自身の開口から内部に突入して自身を通過する遊技球を、例えば公知の電磁コイル等を用いて検出可能なスイッチが用いられる。第二案内路１９３の端部１９８は、特定領域スイッチ７６の開口の右側方、且つ上方に配置される。そして、非特定領域スイッチ７７の開口は、特定領域スイッチ７６の開口の左側方、すなわち、特定領域スイッチ７６の開口に対して端部１９８と反対側の側方に配置される。第二案内路１９３を案内される入賞球が端部１９８から左方に放出され、落下により特定領域スイッチ７６または非特定領域スイッチ７７の開口に突入することで、特定領域１９６または非特定領域１９７の通過が検出される。なお、振分部材１９の下部には、特定領域１９６または非特定領域１９７を通過した入賞球を振分部材１９から排出する排出口１９４が設けられている。
【００４８】
また、特定領域１９６と第二案内路１９３の端部１９８との間には、特定領域１９６への入賞球の通過を規制可能な規制部材２０が設けられている。規制部材２０は板状に形成される部材で、規制部２０１、支持部２０２、軸突起２０３、作動突起２０４、突片２０５を有する。支持部２０２は細幅の板状に延び、一端側に、板面と直交する方向に突出する軸突起２０３が形成されている。軸突起２０３は、支持部２０２の他端側を振分部材１９の前部側へ向けた状態で、振分部材１９の後部において支持される。支持部２０２は、軸突起２０３を支点に、板面を水平方向に沿わせて回動するように配置される。
【００４９】
規制部２０１は、支持部２０２の他端側にて、支持部２０２の延びる方向と直交しつつ板面と平行に突出する板状の部位である。規制部材２０が振分部材１９に組み付けられて、支持部２０２の一端側が振分部材１９の後部に配置され、他端側が前部に配置された状態において、規制部２０１は、支持部２０２の左側に突出されている（図７参照）。規制部２０１は、振分部材１９の前部において、第二案内路１９３の端部１９８と、特定領域１９６との間に配置される（図８参照）。後述するが、規制部２０１は、特定領域１９６を上方にて覆って蓋する位置（以下、「規制位置」とよぶ。）と、特定領域１９６の上方から退いて特定領域１９６を開放する位置（以下、「開放位置」とよぶ。）との間で移動する。
【００５０】
作動突起２０４は、支持部２０２の一端側で、支持部２０２に対して規制部２０１の突出する向きとは反対向きに突出する突片２０５に、軸突起２０３同様、板面と直交する方向に突出して形成されている。作動突起２０４は、規制部材回動ソレノイド２２から伝達される駆動力によって、軸突起２０３に支持される支持部２０２を回動させるための力点として機能する。
【００５１】
規制部材回動ソレノイド２２は、可動鉄心２２１の出退方向を前後方向に沿わせて、振分部材１９の左後部に設けられる。可動鉄心２２１の先端には側方（右方）に向けて延びる伝達部材２２２が設けられている。伝達部材２２２は先端側が後方へ向けて屈曲し、さらに先端が右方へ向けて二股に分かれている。そして、その二股の先端で、規制部材２０の作動突起２０４を前後方向に挟んだ状態で、伝達部材２２２が振分部材１９に設けられている。
【００５２】
規制部材回動ソレノイド２２の駆動によって可動鉄心２２１が前方へ移動すると、規制部材２０の作動突起２０４が伝達部材２２２によって前方へ向けて押される。作動突起２０４を力点として軸突起２０３（支点）に軸支された支持部２０２が時計回りに回動されると、支持部２０２の他端側に設けられた規制部２０１（作用点）は、右方から左方へ移動する。同様に、可動鉄心２２１が後方へ移動すると、作動突起２０４が伝達部材２２２によって後方へ向けて押され、支持部２０２が反時計回りに回動されて、規制部２０１は、左方から右方へ移動する。
【００５３】
規制部材２０の規制部２０１は、規制部材回動ソレノイド２２の駆動に応じ、振分部材１９の前部において左右方向に移動する。図９に示すように、規制部２０１が左方へ移動した場合、規制部２０１は、特定領域１９６を上方にて覆って蓋する規制位置に移動する。図８に示すように、規制部２０１が規制位置にある場合（図中、規制位置にある場合の規制部２０１を点線で示す。）、第二案内路１９３を案内される入賞球は、端部１９８から規制部２０１上を通って非特定領域１９７へ向かう（流路を二点鎖線で示す。）。
【００５４】
一方、図７に示すように、規制部２０１が右方へ移動した場合、規制部２０１は、特定領域１９６の上方から退き、特定領域１９６を開放する開放位置に移動する。図８に示すように、規制部２０１が開放位置にある場合（図中、開放位置にある場合の規制部２０１を実線で示す。）、第二案内路１９３を案内される入賞球は、端部１９８から特定領域１９６へ向かうことができる（流路を一点鎖線で示す。）。
【００５５】
なお、第二案内路１９３の下部には規制部材２０の規制部２０１を収容可能な収容部１９５が設けられている。収容部１９５は、振分部材１９の上下方向において、第二案内路１９３の端部１９８の下方、且つ、特定領域スイッチ７６の開口の上方の位置に設けられる。規制部２０１が開放位置に移動した場合、規制部２０１は、収容部１９５に収容された状態となる。
【００５６】
上記したように、第一案内路１９２および第二案内路１９３からなる入賞球の流路が曲折されており、入賞球の転がる勢い（速さ）が抑制されるため、規制部２０１が開放位置にある場合に、入賞球は特定領域１９６を通過する。もっとも、入賞球の勢いが十分に抑制されずに特定領域１９６の上方を飛び越したり、あるいは端部１９８から放出された際に特定領域スイッチ７６の開口の縁に当たって跳ね返ったりした場合には、入賞球が非特定領域１９７を通過することも可能である。
【００５７】
このような構成の振分部材１９は、上記したように、化粧枠１１の背面側に、化粧枠１１と一体に組み付けられるが、化粧枠１１に設けられた開口１１３より、化粧枠１１の前面側から振分部材１９を臨むことができる。振分部材１９の前側の壁面には透明部材が用いられている。そのため、遊技者は、Ｖアタッカー１７の入賞口１８１に入賞した入賞球が、入賞部材１８の後方から振分部材１９に突入し、第一案内路１９２に前方へ案内された後、第二案内路１９３に左方へ案内され、特定領域１９６または非特定領域１９７に向かう様子を、目視で追うことができる。さらに、第二案内路１９３、特定領域１９６、非特定領域１９７が振分部材１９の前部に配置されたことにより、遊技者が、入賞球の行方を見やすい。
【００５８】
次に、図１０を参照して、パチンコ機１の概略的な電気的構成について説明する。図１０に示すように、パチンコ機１の制御部４０は、主基板４１、サブ統合基板６０、ランプドライバ基板４６、演出制御基板４３、払出制御基板４５、および中継基板４７を備える。
【００５９】
主基板４１は、パチンコ機１の主制御を司る。主基板４１の主基板ＣＰＵユニット５０には、各種の演出処理を行うＣＰＵ５１と、データを一時的に記憶するＲＡＭ５２と、制御プログラム等を記憶したＲＯＭ５３とが設けられている。ＣＰＵ５１は、主基板４１に設けられる割込信号発生回路（図示外）から割込信号が入力される毎にプログラムを実行する。主基板４１は、Ｉ／Ｏインタフェイス５４を介してサブ統合基板６０、払出制御基板４５、中継基板４７、第一始動スイッチ７２、および第二始動スイッチ７３に接続されている。第一始動スイッチ７２は、第一特別図柄始動入賞口１４に入賞した遊技球を検出する。第二始動スイッチ７３は、第二特別図柄始動電動役物１５に入賞した遊技球を検出する。
【００６０】
サブ統合基板６０は図示外のＣＰＵ、ＲＡＭ、ＲＯＭを備え、ランプドライバ基板４６、演出制御基板４３、およびスピーカ４８に接続している。サブ統合基板６０は、主基板４１から送信されるコマンドにしたがって、演出等の総合的な制御を行う。ランプドライバ基板４６は、演出装置３０等を制御する。演出制御基板４３は、サブ統合基板６０から受信するコマンドにしたがって表示装置２８の表示を制御する。払出制御基板４５は、主基板４１から送信されるコマンドに応じて賞品球払出装置４９の動作を制御し、所定数の遊技球を払い出させる。
【００６１】
中継基板４７には、電動役物開閉ソレノイド６９、通常アタッカー開閉ソレノイド７０、Ｖアタッカー開閉ソレノイド７１、および規制部材回動ソレノイド２２が接続されている。電動役物開閉ソレノイド６９は、普通当たり遊技中に第二特別図柄始動電動役物１５の開閉部材を開閉する。通常アタッカー開閉ソレノイド７０は、大当たり遊技中に通常アタッカー１６の開閉部材１６３を開閉する。Ｖアタッカー開閉ソレノイド７１は、大当たり遊技中にＶアタッカー１７を構成する入賞部材１８の開閉部材１８３を開閉する。規制部材回動ソレノイド２２は、Ｖアタッカー１７を構成する振分部材１９に設けられた規制部材２０を回動させ、規制部２０１を規制位置と開放位置との間で移動させる。
【００６２】
また、中継基板４７には、普通図柄作動スイッチ７４、通常アタッカースイッチ７５、特定領域スイッチ７６、非特定領域スイッチ７７、および入賞部材スイッチ７８が接続されている。普通図柄作動スイッチ７４は、普通図柄始動ゲート１２を通過した遊技球を検出する。通常アタッカースイッチ７５は、通常アタッカー１６の入賞口１６１に入賞した遊技球（入賞球）を検出する。特定領域スイッチ７６は、Ｖアタッカー１７を構成する振分部材１９の特定領域１９６を通過した遊技球を検出する。非特定領域スイッチ７７は、Ｖアタッカー１７を構成する振分部材１９の非特定領域１９７を通過した遊技球を検出する。入賞部材スイッチ７８は、Ｖアタッカー１７を構成する入賞部材１８の入賞口１８１に入賞した遊技球（入賞球）を検出する。
【００６３】
さらに、中継基板４７には、図柄表示装置８が接続されている。また、電源基板４２は、主基板４１および遊技球発射装置３７に接続されており、各基板および遊技球発射装置３７に直流の安定化した電力を供給する。遊技球発射装置３７は、一定間隔（本実施の形態では０．６秒）毎に１個ずつ、遊技球を遊技領域４へ発射する。
【００６４】
次に、本実施の形態のパチンコ機１における遊技の流れについて概略的に説明する。パチンコ機１は、第一大当たり判定および第二大当たり判定において大当たりと判定される確率が約１／３５０である非確率変動状態と、約１／３５である確率変動状態とを生起させることができる。また、第二特別図柄始動電動役物１５の開閉部材が開放される割合が通常の割合である非時短状態と、その割合が非時短状態よりも高くなる時短状態とを生起させることができる。パチンコ機１は、これらの組合せにより、「非確率変動非時短状態」（以下、「通常状態」という。）」、「非確率変動時短状態」、および「確率変動時短状態」の３つの遊技状態を生起する。なお、パチンコ機１が生起できる遊技状態の種類は変更可能であることは言うまでもない。例えば、上記３つの遊技状態に加えて「確率変動非時短状態」等の他の遊技状態を生起できるパチンコ機にも、本発明は適用できる。「通常状態」および「確率変動時短状態」の２つの遊技状態のみを生起できるパチンコ機にも本発明は適用できる。
【００６５】
「非確率変動時短状態」および「確率変動時短状態」は、第一大当たり判定の回数と第二大当たり判定の回数との和が規定回数（本実施の形態では６０回）に達すると終了し、「通常状態」へ移行する。つまり、パチンコ機１の確率変動状態は、大当たり判定の回数の和が規定回数に達することで、いわゆる回数切り確変機能の作動によって終了する。なお、「非確率変動時短状態」および「確率変動時短状態」は、大当たり遊技開始時にも終了する。この場合、規定回数の計数はクリアされる。
【００６６】
「通常状態」中には、第二特別図柄始動電動役物１５の開閉部材が開放される割合は時短状態中よりも低い。よって、遊技者は、第二特別図柄始動電動役物１５よりも第一特別図柄始動入賞口１４の方が容易に遊技球を入賞させることができる。第一特別図柄始動入賞口１４へ遊技球が入賞すると、第一大当たり判定が行われる。第一大当たり判定によって大当たりと判定された場合には、長時間開放大当たりおよび短時間開放大当たりのいずれを生起するかが決定される。本実施の形態では、第一大当たり判定によって大当たりと判定された場合、長時間開放大当たりが決定される割合を５０％とし、短時間開放大当たりが決定される割合を５０％としている。なお、長時間開放大当たりが決定される割合は変更してもよい。
【００６７】
なお、Ｖアタッカー１７を構成する入賞部材１８の開閉部材１８３の開閉パターンは、長時間開放大当たりの場合と短時間開放大当たりの場合とで異なるパターンで作動され、それに応じて遊技球が入賞口１８１へ入賞する確率が異なる。これに対し、振分部材１９の規制部材２０の回動パターンは、長時間開放大当たりの場合と短時間開放大当たりの場合とで同じパターンで作動される。詳細は後述するが、本実施の形態のパチンコ機１では、規制部材２０の回動パターンを、入賞球が案内路１９２，１９３を転がるのにかかる時間を考慮した上で、設定している。その上で、開閉部材１８３の開閉パターンと規制部材２０の回動パターンとを組み合わせることにより、入賞口１８１へ入賞した入賞球が、長時間開放大当たりの場合には特定領域１９６を通過しやすく、短時間開放大当たりの場合には非特定領域１９７を通過しやすくなるようにしている。
【００６８】
パチンコ機１では、大当たり遊技中に遊技球が特定領域１９６を通過すると、大当たり遊技終了後に「確率変動時短状態」が生起される。遊技球が特定領域１９６を通過しなければ、大当たり遊技終了後には「非確率変動時短状態」が生起される。したがって、「通常状態」から大当たり遊技を経て「確率変動時短状態」へ移行する確率は約５０％となる。
【００６９】
「確率変動時短状態」中には、第二特別図柄始動電動役物１５の開閉部材が開放される割合は「通常状態」中よりも高い。したがって、遊技者は、第一特別図柄始動入賞口１４よりも第二特別図柄始動電動役物１５の方が容易に遊技球を入賞させることができるため、遊技球を遊技盤２の右側に打ち出す（いわゆる「右打ち」を行う）。第二特別図柄始動電動役物１５へ遊技球が入賞すると、第二大当たり判定が行われる。第二大当たり判定によって大当たりと判定された場合には、第一大当たり判定によって大当たりと判定された場合よりも高い割合で長時間開放大当たりが決定される。
【００７０】
本実施の形態では、第二大当たり判定によって大当たりと判定された場合には１００％の割合で長時間開放大当たりが決定される。したがって、「確率変動時短状態」が大当たり遊技を介して連続する確率は、１００％に非常に近い値となる。つまり、パチンコ機１では、「通常状態」から「確率変動時短状態」へ移行する確率よりも、「確率変動時短状態」が大当たり遊技を介して連続する確率の方が高い。「確率変動時短状態」が生起されている間（規定回数の大当たり判定が行われる間）に第二大当たり判定において大当たりと判定される限り、「確率変動時短状態」と大当たり遊技とが高い確率で交互に連続する。大当たり判定の結果が規定回数連続してはずれとなると、遊技状態は「通常状態」へ移行する。
【００７１】
大当たり遊技中に遊技球が特定領域１９６を通過せず、「非確率変動時短状態」が生起された場合にも、第二特別図柄始動電動役物１５の開閉部材は開放されやすい。よって、遊技者は右打ちを行う。「非確率変動時短状態」中に大当たりと判定される確率は、「確率変動時短状態」中よりも低い。しかし、はずれが規定回数連続して「通常状態」へ移行する前に、第二大当たり判定の結果が大当たりとなると、大当たり遊技終了後に非常に高い確率で「確率変動時短状態」が生起される。したがって、パチンコ機１では、「確率変動時短状態」が生起されずに「非確率変動時短状態」が生起された場合でも、遊技者は期待感を損なうことなく遊技を楽しむことができる。
【００７２】
このように遊技が行われるパチンコ機１では、大当たり遊技中に遊技球がＶアタッカー１７内の特定領域１９６を通過することが、大当たり遊技終了後に確率変動時短状態を生起する条件となっている。本実施の形態では、Ｖアタッカー１７の開閉部材１８３は、１回の大当たり遊技中に１回（例えば大当り遊技中の最終ラウンド）開放される。上記したように、第一大当たり判定によって大当たりと判定された場合に、５０％の割合で長時間開放大当たりが決定され、５０％の割合で短時間開放大当たりが決定される。長時間開放大当たりが決定された場合、Ｖアタッカー１７の開閉部材１８３は長時間開放パターンに従い開放され、短時間開放大当たりが決定された場合には、開閉部材１８３は短時間開放パターンに従い開放される。なお、長時間開放パターンおよび短時間開放パターンに従う開閉部材１８３の動作は、主基板４１のＲＯＭ５３に記憶されるパチンコ機１の制御プログラムに従ってＣＰＵ５１が出力する指示に従い、Ｖアタッカー開閉ソレノイド７１が駆動されることによってなされる。
【００７３】
図１１に示すように、長時間開放パターンでは、Ｖアタッカー１７の開閉部材１８３が、最大１３秒（Ｔ０〜Ｔ３）開放される開閉パターンに従い作動される。一方、振分部材１９の規制部材２０は、開閉部材１８３の作動と同時（Ｔ０）に開放位置に移動され、約０．３秒経過後（Ｔ１）に規制位置に移動される。その後、例えば３．２秒（Ｖアタッカー１７開放から３．５秒）経過後（Ｔ２）に再び開放位置に移動されて、さらに１２．５秒（Ｖアタッカー１７開放から１６秒）経過後（Ｔ４）に規制位置に移動される回動パターンに従い作動される。つまり、規制部材２０は、Ｔ０〜Ｔ１とＴ２〜Ｔ４とにおいて開放位置にある。ここで、本実施の形態では、第一案内路１９２および第二案内路１９３は、その長さが、入賞球が転がるのにかかる時間でＴ２〜Ｔ４時間（約１２．５秒）より短い時間となるように、形成されている。ゆえに、長時間開放パターンでは、Ｔ０〜Ｔ３に入賞口１８１に入賞した入賞球は、第一案内路１９２および第二案内路１９３を案内されて特定領域１９６に到達するまでにかかる時間よりも長い間、規制部材２０が開放位置に維持されている、主にＴ２〜Ｔ４に、特定領域１９６を通過することが可能である。
【００７４】
一方、短時間開放パターンでは、Ｖアタッカー１７の開閉部材１８３が、最大０．３秒（Ｔ０〜Ｔ１）開放される開閉パターンに従い作動される。短時間開放パターンにおいて、開閉部材１８３が開放される０．３秒の間に、遊技球が入賞口１８１に入賞することは難しい。すなわち、短時間開放パターンでは、遊技球が特定領域１９６を通過することは難しい。
【００７５】
もっとも、パチンコ機１では、短時間開放パターンに従い開閉部材１８３が開放される０．３秒の間に、遊技球が入賞口１８１に入賞する場合もある。遊技球が入賞した場合、入賞球は、特定領域スイッチ７６または非特定領域スイッチ７７に検出される途中に、第一案内路１９２および第二案内路１９３を通過する。ここで、上記のように、その長さが、入賞球が転がるのにかかる時間でＴ２〜Ｔ４時間（約１２．５秒）より短い時間となるように形成された第一案内路１９２および第二案内路１９３は、その長さが、同じく入賞球が転がるのにかかる時間でＴ０〜Ｔ１時間（約０．３秒）より長い時間となるように形成されている。さらに、第一案内路１９２および第二案内路１９３は、その長さが、入賞球が転がるのにかかる時間でＴ０〜Ｔ２時間（約３．５秒）より短い時間となるようにも形成されている。言い換えると、第一案内路１９２および第二案内路１９３の長さは、入賞球がＴ０〜Ｔ１時間（約０．３秒）で転がることのできる長さ（「第一距離」とする。）よりも長い。且つ、第一案内路１９２および第二案内路１９３の長さは、入賞球がＴ２〜Ｔ４時間（約１２．５秒）で転がることのできる長さ（「第二距離」とする。）よりも短い。さらに、第一案内路１９２および第二案内路１９３の長さは、入賞球がＴ０〜Ｔ２時間（約３．５秒）で転がることのできる長さ（「第三距離」とする。）よりも短い。
【００７６】
短時間開放パターンにおいて、稀に、Ｔ０〜Ｔ１までの０．３秒間に入賞口１８１に入賞した入賞球が、第一案内路１９２および第二案内路１９３を案内される。規制部材２０は、Ｔ０に規制位置から開放位置に移動されるため、入賞球が入賞口１８１に入賞した時点において、入賞球は特定領域１９６を通過可能な状態となる。しかし、入賞球が、第一距離よりも長く、第二距離および第三距離よりも短い長さの第一案内路１９２および第二案内路１９３を案内されている間に、Ｔ０〜Ｔ１が経過してしまう。このため、入賞球が第二案内路１９３の端部１９８に達したときには、すでに、規制部材２０が開放位置から規制位置に移動してしまっている。したがって、入賞球は非特定領域１９７を通過することとなり、短時間開放パターンにおいて、入賞球が、特定領域１９６を通過することは難しい。一方で、長時間開放パターンでは、上記したように、Ｔ０〜Ｔ３に入賞口１８１に入賞した入賞球が、第一案内路１９２および第二案内路１９３を案内されて特定領域１９６に到達しても、Ｔ２〜Ｔ４であれば規制部材２０が開放位置に維持されており、特定領域１９６を通過することが可能である。
【００７７】
以上説明したように、本実施の形態のパチンコ機１の役物装置１０では、規制位置と開放位置との間での規制部材２０の規制部２０１の移動が、直線的な移動ではなく、回動によって行われるので、直線的に出退させる場合と比べて出退方向への移動量が少なくて済む。つまり、規制部材２０の移動のためのスペースを、より小さくできる。さらに、規制部２０１を開放位置に移動させた場合の規制部２０１の収容のためのスペース（つまり収容部１９５の大きさ）も小さくすることができるので、役物装置１０の小型化を図ることができる。
【００７８】
また、特定領域１９６が非特定領域１９７と第二案内路１９３との間、すなわち、非特定領域１９７よりも入賞球の流路上流側に設けられることによって、規制部材２０の規制部２０１が開放位置にある場合に、第一案内路１９２および第二案内路１９３を案内された入賞球が、特定領域１９６を通過しやすい。特定領域１９６をＶゾーンとした場合、遊技者が、規制部２０１が開放位置にあることを確認することで、Ｖゾーンへの入賞に対する期待を抱くことができる。一方で、入賞球が、特定領域１９６を飛び越して非特定領域１９７を通過することもできるので、遊技者に、Ｖゾーン入賞への期待と、非入賞に対する不安とが入り交じった感情を惹起させ、遊技の興趣を高めることができる。また、非特定領域１９７をＶゾーンとした場合には、特定領域１９６が開放状態にある場合でも、遊技者は、遊技球が特定領域１９６を飛び越して非特定領域１９７を通過することへの期待を抱くことができる。
【００７９】
また、特定領域１９６は第二案内路１９３と非特定領域１９７との間に設けられているので、特定領域１９６が開放されている場合、入賞球に勢いがあると、入賞球が特定領域１９６を飛び越して非特定領域１９７へ向かう虞がある。ゆえに、曲折された流路を構成する第一案内路１９２および第二案内路１９３を通過すれば入賞球の勢いが弱められるので、より確実に、入賞球に特定領域１９６を通過させることができる。また、第一案内路１９２および第二案内路１９３を通過する入賞球の通過時間を考慮した役物装置１０の設計を行った場合、曲折された第一案内路１９２および第二案内路１９３によって入賞球の勢いが弱められ、通過速度が遅くなれば、第一案内路１９２および第二案内路１９３を短くしても、入賞球の通過時間を確保することができるので、役物装置１０の小型化を図ることができる。
【００８０】
また、第二案内路１９３の端部１９８を、特定領域スイッチ７６の開口の右側方、且つ上方に配置し、非特定領域スイッチ７７の開口を、特定領域スイッチ７６の開口に対して端部１９８と反対側の側方に配置した。これにより、第一案内路１９２および第二案内路１９３を案内されて端部１９８から放出される入賞球が、特定領域スイッチ７６や非特定領域スイッチ７７を通過するために必要なスペースは、並列に配置される特定領域スイッチ７６の開口と非特定領域スイッチ７７の開口があれば足りるので、役物装置１０の小型化を図ることができる。また、端部１９８から特定領域スイッチ７６や非特定領域スイッチ７７へ向けて入賞球が落下する構成としたので、第二案内路１９３の下方がデッドスペースとなるが、その位置に収容部１９５を設けることで、役物装置１０に別途、収容部１９５を設けるためのスペースを用意する必要がなく、役物装置１０の小型化を図ることができる。
【００８１】
また、役物装置１０にＶアタッカー１７とは別途、通常アタッカー１６を取り付けることによって２種類の入賞口を有することができ、通常アタッカー１６の入賞口１６１と、Ｖアタッカー１７の入賞口１８１とを駆使した遊技を行うことができ、遊技性に幅を持たせることができる。また、通常アタッカー１６は取り外し可能でもあるので、単体で、他のパチンコ機にも取り付けることのできるアタッカーユニットとして機能することができる。ゆえに、パチンコ機間で通常アタッカー１６を共用することができるので、製造コストの削減を図ることができる。同様に、Ｖアタッカー１７も、入賞部材１８を、単体で、他のパチンコ機にも取り付けることのできるアタッカーユニットとして機能することができる。ゆえに、パチンコ機間で入賞部材１８を共用することができるので、製造コストの削減を図ることができる。
【００８２】
パチンコ機１がこのような役物装置１０を備えることで、役物装置１０の取り付け位置の省スペース化を図ることができる。また、役物装置１０を小型化できることによって、パチンコ機１内においてその他の装置を取り付けられるスペースが増えるので、パチンコ機１内のレイアウトの自由化を図ることができる。
【００８３】
ところで、Ｖアタッカー１７の入賞口１８１の開放とともに特定領域１９６が開放されたときに入賞した入賞球は、第一案内路１９２および第二案内路１９３を通過する間にＴ０〜Ｔ１が経過してしまい特定領域１９６が規制されるので、特定領域１９６を通過することができない。入賞口１８１の開放から所定の時間が経過してから入賞した入賞球は、再び特定領域１９６が、今度は第一案内路１９２および第二案内路１９３の通過にかかる時間よりも長いＴ２〜Ｔ４の間、開放されるので、特定領域１９６を通過することができるようになる。よって、入賞球に特定領域１９６を通過させたり、あるいは通過させなかったりする制御を、開閉部材１８３の開放時間を制御するだけで、すなわち、長時間開放パターンおよび短時間開放パターンを設定するだけで、容易に行うことができる。同一の役物で、入賞球に特定領域を通過させたりあるいは通過させなかったりする構造を物理的に実現しようとすると、役物の大型化を招いてしまうが、本実施態様のように制御的に行えるようにすれば、役物の小型化を図ることができる。
【００８４】
なお、本発明においては、本実施の形態における入賞口１８１が「第一入賞口」に相当する。開閉部材１８３が「第一開閉部材」に相当する。特定領域１９６が「第一通過領域」に相当する。非特定領域１９７が「第二通過領域」に相当する。第一案内路１９２および第二案内路１９３が「案内路」に相当する。軸突起２０３が規制部材の「軸」に相当する。特定領域スイッチ７６が「第一通過口」に相当する。第二案内路１９３の端部１９８が「案内路の流路末端」に相当する。非特定領域スイッチ７７が「第二通過口」に相当する。入賞口１６１が「第二入賞口」に相当する。開閉部材１６３が「第二開閉部材」に相当する。排出口１６４が「第一排出口」に相当する。通常アタッカー１６が「第一役物部材」に相当する。排出口１８４が「第二排出口」に相当する。入賞部材１８が「第二役物部材」に相当する。Ｔ０〜Ｔ１が「第一時間」に相当する。Ｔ２〜Ｔ４が「第二時間」に相当する。ＣＰＵ５１が「回動制御装置」に相当する。パチンコ機１が「遊技機」に相当する。
【００８５】
本発明は、以上詳述した実施の形態に限定されるものではなく、本発明の要旨を逸脱しない範囲内において種々の変更が可能であることは言うまでもない。規制部材２０は、特定領域１９６の上方に規制部２０１が配置されることで（規制位置）、入賞球の特定領域１９６への通過を規制し、第二案内路１９３の下部の収容部１９５に規制部２０１が収容されることで（開放位置）、入賞球の特定領域１９６への通過を開放した。これに限らず、例えば、特定領域１９６の上方に規制部２０１が配置されることで（規制位置）、入賞球の特定領域１９６への通過を規制し、非特定領域１９７の上方に規制部２０１が配置されることで（開放位置）、入賞球の特定領域１９６への通過を開放してもよい。このように、特定領域１９６にとっての規制位置が非特定領域１９７にとっての開放位置となり、その逆もまた同様となるように規制部２０１を移動させれば、規制部２０１の収容部１９５を別途設けなくとも済むので、Ｖアタッカー１７ひいては役物装置１０の小型化を図ることができる。
【００８６】
また、規制部材２０を、円盤状や半月盤状、扇盤状などに形成してもよい。この場合、盤面に、入賞球が通過可能な切欠きや孔を形成し、盤を回転させることによって、切欠きや孔の位置を移動できるようにするとよい。切欠や孔を特定領域１９６の上方に配置させれば（開放位置）、入賞球の特定領域１９６への通過を開放することができ、切欠や孔を特定領域１９６の上方からずらした位置に配置させれば（規制位置）、入賞球の特定領域１９６への通過を規制することができる。
【００８７】
また、第二案内路１９３の端部１９８に近い側に特定領域１９６を配置し、遠い側に非特定領域１９７を配置したが、その逆の配置とし、端部１９８に近い側に非特定領域１９７を配置し、遠い側に特定領域１９６を配置してもよい。
【００８８】
また、第一案内路１９２と第二案内路１９３とでＬ字型に曲折する入賞球の流路を構成したが、流路が曲折され入賞球の転がる勢いを抑制できれば、Ｌ字型に限らず、任意の形状に曲折されていてもよい。あるいは、流路の長さとして第一距離より長く第二距離および第三距離より短い長さを確保できれば、入賞球の流路が曲折されていなくともよい。
【００８９】
また、開閉パターンに従い開閉部材１８３が入賞口１８１を開放あるいは閉鎖する時間や、回動パターンに従い規制部材２０が規制位置あるいは開放位置に移動する時間やそれらの位置で待機する時間として本実施の形態で示した時間が一例に過ぎないことは言うまでもない。これらの時間やタイミングは、第一案内路１９２と第二案内路１９３とからなる流路を入賞球が転がるのにかかる時間に応じて、実施の形態で説明した条件を満たしつつ、適宜設定すればよい。
【００９０】
Ｖアタッカー１７を開放するラウンドは、１回の大当たり遊技において１回（例えば最終ラウンド）である必要はない。また、１回の大当たり遊技において、複数のラウンドでＶアタッカー１７を開放してもよい。この場合、１回の大当たり遊技におけるＶアタッカー１７の開放時間の合計を、長時間開放パターンと短時間開放パターンとで変えることで、「確率変動時短状態」へ移行する割合を変えることができる。
【００９１】
前述したように、パチンコ機１が生起できる遊技状態の種類は変更可能である。具体的には、上記実施の形態のパチンコ機１は、大当たり遊技中に遊技球が特定領域１９６を通過すると、その後に必ず「確率変動時短状態」を生起させる。しかし、パチンコ機１は、遊技球の特定領域１９６の通過を条件として、「確率変動非時短状態」を生起させてもよい。
【符号の説明】
【００９２】
１    パチンコ機
１０    役物装置
１６    通常アタッカー
１７    Ｖアタッカー
１８    入賞部材
１９    振分部材
２０    規制部材
５１    ＣＰＵ
７６  特定領域スイッチ
７７  非特定領域スイッチ
１６１    入賞口
１６３    開閉部材
１６４    排出口
１８１    入賞口
１８３    開閉部材
１８４    排出口
１９２    第一案内路
１９３    第二案内路
１９５    収容部
１９６    特定領域
１９７    非特定領域
１９８    端部
２０１    規制部
２０３    軸突起
【図１】
0005923678.tif 000002
【図２】
0005923678.tif 000003
【図３】
0005923678.tif 000004
【図４】
0005923678.tif 000005
【図５】
0005923678.tif 000006
【図６】
0005923678.tif 000007
【図７】
0005923678.tif 000008
【図８】
0005923678.tif 000009
【図９】
0005923678.tif 000010
【図１０】
0005923678.tif 000011
【図１１】
0005923678.tif 000012